(57)【要約】【課題】給湯用熱媒と暖房用熱媒がヒートポンプによって同時に加熱される場合に暖房用熱媒の温度を高めることができる技術を提供する。【解決手段】ヒートポンプによって給湯用熱媒を加熱する給湯加熱運転と、前記ヒートポンプによって暖房用熱媒を加熱する暖房加熱運転と、補助熱源機によって暖房用熱媒を加熱する補助加熱運転を実行可能であり、前記給湯加熱運転と前記暖房加熱運転が同時に実行され、かつ、前記補助加熱運転が実行されている場合に、制御装置が、前記ヒートポンプを循環する冷媒の流量を増大させる増大処理を実行する。【選択図】図４
2019027749.tif 000002
【特許請求の範囲】
【請求項１】
冷媒を加圧する圧縮機と、冷媒と給湯用熱媒の間で熱交換させるとともに、冷媒と暖房用熱媒の間で熱交換させることで、冷媒を凝縮させる凝縮器と、冷媒を減圧する減圧機構と、冷媒と自然環境の間で熱交換させることで、冷媒を蒸発させる蒸発器を備えるヒートポンプと、
暖房用熱媒を燃料の燃焼によって加熱する補助熱源機と、
給湯用熱媒を利用して給湯する給湯装置と、
暖房用熱媒を利用して暖房する暖房装置と、
前記ヒートポンプの動作を制御する制御装置を備えており、
前記ヒートポンプによって給湯用熱媒を加熱する給湯加熱運転と、前記ヒートポンプによって暖房用熱媒を加熱する暖房加熱運転と、前記補助熱源機によって暖房用熱媒を加熱する補助加熱運転を実行可能であり、
前記給湯加熱運転と前記暖房加熱運転が同時に実行され、かつ、前記補助加熱運転が実行されている場合に、前記制御装置が、前記ヒートポンプを循環する冷媒の流量を増大させる増大処理を実行する、給湯暖房システム。
【請求項２】
前記増大処理が実行された後に、前記給湯加熱運転と前記暖房加熱運転が同時に実行され、かつ、前記補助加熱運転が実行されていない場合に、前記制御装置が、前記ヒートポンプを循環する冷媒の流量を減少させる減少処理を実行する、請求項１に記載の給湯暖房システム。
【請求項３】
冷媒を加圧する圧縮機と、冷媒と給湯用熱媒の間で熱交換させるとともに、冷媒と暖房用熱媒の間で熱交換させることで、冷媒を凝縮させる凝縮器と、冷媒を減圧する減圧機構と、冷媒と自然環境の間で熱交換させることで、冷媒を蒸発させる蒸発器を備えるヒートポンプと、
前記ヒートポンプによって加熱された暖房用熱媒の温度を検出する温度検出手段と、
暖房用熱媒を燃料の燃焼によって加熱する補助熱源機と、
給湯用熱媒を利用して給湯する給湯装置と、
暖房用熱媒を利用して暖房する暖房装置と、
前記ヒートポンプの動作を制御する制御装置を備えており、
前記ヒートポンプによって給湯用熱媒を加熱する給湯加熱運転と、前記ヒートポンプによって暖房用熱媒を加熱する暖房加熱運転と、前記補助熱源機によって暖房用熱媒を加熱する補助加熱運転を実行可能であり、
前記給湯加熱運転と前記暖房加熱運転が同時に実行され、かつ、前記補助加熱運転が実行されていない状態で、前記温度検出手段によって検出される暖房用熱媒の温度が所定の第１基準温度以下である場合に、前記制御装置が、前記ヒートポンプを循環する冷媒の流量を増大させる増大処理を実行する、給湯暖房システム。
【請求項４】
前記給湯加熱運転と前記暖房加熱運転が同時に実行され、かつ、前記補助加熱運転が実行されていない状態で、前記温度検出手段によって検出される暖房用熱媒の温度が所定の第１基準時間にわたって前記所定の第１基準温度以下である場合に、前記制御装置が、前記増大処理を実行する、請求項３に記載の給湯暖房システム。
【請求項５】
前記増大処理が実行された後に、前記給湯加熱運転と前記暖房加熱運転が同時に実行され、かつ、前記補助加熱運転が実行されていない状態で、前記温度検出手段によって検出される暖房用熱媒の温度が所定の第２基準温度以上である場合に、前記制御装置が、前記ヒートポンプを循環する冷媒の流量を減少させる減少処理を実行する、請求項３または４に記載の給湯暖房システム。
【請求項６】
前記増大処理が実行された後に、前記給湯加熱運転と前記暖房加熱運転が同時に実行され、かつ、前記補助加熱運転が実行されていない状態で、前記温度検出手段によって検出される暖房用熱媒の温度が所定の第２基準時間にわたって前記所定の第２基準温度以上である場合に、前記制御装置が前記減少処理を実行する、請求項５に記載の給湯暖房システム。
【発明の詳細な説明】
【技術分野】
【０００１】
本明細書に開示する技術は、給湯暖房システムに関する。
【背景技術】
【０００２】
特許文献１に開示されている給湯暖房システムは、ヒートポンプと補助熱源機を備えている。ヒートポンプは、冷媒を加圧する圧縮機と、冷媒と給湯用熱媒の間で熱交換させるとともに、冷媒と暖房用熱媒の間で熱交換させることで、冷媒を凝縮させる凝縮器と、冷媒を減圧する減圧機構と、冷媒と自然環境の間で熱交換させることで、冷媒を蒸発させる蒸発器を備えている。補助熱源機は、暖房用熱媒を燃料の燃焼によって加熱する。また、給湯暖房システムは、給湯用熱媒を利用して給湯する給湯装置と、暖房用熱媒を利用して暖房する暖房装置と、ヒートポンプの動作を制御する制御装置を備えている。この給湯暖房システムでは、ヒートポンプによって給湯用熱媒を加熱する給湯加熱運転と、ヒートポンプによって暖房用熱媒を加熱する暖房加熱運転と、補助熱源機によって暖房用熱媒を加熱する補助加熱運転を実行可能である。また、この給湯暖房システムでは、給湯加熱運転と暖房加熱運転が同時に実行される。
【先行技術文献】
【特許文献】
【０００３】
【特許文献１】特開２０１４−１６１０３号公報
【発明の概要】
【発明が解決しようとする課題】
【０００４】
給湯暖房システムで給湯加熱運転と暖房加熱運転が同時に実行されると、ヒートポンプにおける冷媒の熱が、熱交換によって暖房用熱媒と給湯用熱媒に分配される。そのため、冷媒の熱が暖房用熱媒と給湯用熱媒の加熱に同時に利用されるので、加熱が不十分になることがある。特に、暖房用熱媒の温度が十分に高まらないことがある。暖房用熱媒の温度が十分に高まらないと、補助加熱運転を行う必要が生じて、エネルギー効率を低下させてしまう。しかしながら、ヒートポンプで加熱された後の暖房用熱媒の温度を高める際に、ヒートポンプで加熱された後の給湯用熱媒の温度が低下してしまうと、給湯加熱運転に影響を及ぼしてしまう。本明細書は、給湯用熱媒と暖房用熱媒がヒートポンプによって同時に加熱される場合に、給湯用熱媒の温度を低下させることなく、暖房用熱媒の温度を高めることができる技術を提供する。
【課題を解決するための手段】
【０００５】
本明細書に開示する給湯暖房システムは、冷媒を加圧する圧縮機と、冷媒と給湯用熱媒の間で熱交換させるとともに、冷媒と暖房用熱媒の間で熱交換させることで、冷媒を凝縮させる凝縮器と、冷媒を減圧する減圧機構と、冷媒と自然環境の間で熱交換させることで、冷媒を蒸発させる蒸発器を備えるヒートポンプと、暖房用熱媒を燃料の燃焼によって加熱する補助熱源機と、給湯用熱媒を利用して給湯する給湯装置と、暖房用熱媒を利用して暖房する暖房装置と、前記ヒートポンプの動作を制御する制御装置を備えている。この給湯暖房システムでは、前記ヒートポンプによって給湯用熱媒を加熱する給湯加熱運転と、前記ヒートポンプによって暖房用熱媒を加熱する暖房加熱運転と、前記補助熱源機によって暖房用熱媒を加熱する補助加熱運転を実行可能である。また、前記給湯加熱運転と前記暖房加熱運転が同時に実行され、かつ、前記補助加熱運転が実行されている場合に、前記制御装置が、前記ヒートポンプを循環する冷媒の流量を増大させる増大処理を実行する。
【０００６】
上記の給湯暖房システムでは、凝縮器において冷媒と給湯用熱媒の間で熱交換が行われて給湯用熱媒が加熱される。また、凝縮器において冷媒と暖房用熱媒の間で熱交換が行われて暖房用熱媒が加熱される。また、凝縮器での熱交換によって冷媒が凝縮する。比較的高温の冷媒が凝縮器に流入し、凝縮器で凝縮して、比較的低温の冷媒が凝縮器から流出する。この給湯暖房システムでは、給湯用熱媒を加熱する給湯加熱運転と暖房用熱媒を加熱する暖房加熱運転が同時に実行され、かつ、補助加熱運転が実行されている場合に、制御装置がヒートポンプを循環する冷媒の流量を増大させる増大処理を実行することによって、凝縮器で冷媒が凝縮するときの過冷却領域が短くなる。その結果、冷媒の流量の増大後では、増大前よりも、凝縮器から流出する冷媒の温度が高くなる。
【０００７】
凝縮器では給湯用熱媒と暖房用熱媒が加熱される。暖房用熱媒は暖房装置で放熱した後も比較的高温であり、凝縮器に流入する暖房用熱媒の温度は比較的高温となっている。このため、凝縮器から流出する冷媒の温度に比べて、凝縮器に流入する暖房用熱媒の方が高温になっている。そのため、凝縮器に流入する暖房用熱媒は、低温の冷媒との熱交換によって放熱し、一時的に温度が低下する。その後、暖房用熱媒は、より高温の冷媒との熱交換によって温度が上昇する。温度が高くなった暖房用熱媒が凝縮器から流出する。
【０００８】
冷媒の流量の増大前と増大後を比較すると、上述したように、冷媒の流量の増大後では、増大前よりも、凝縮器から流出する冷媒の温度が高くなる。そのため、凝縮器に流入する暖房用熱媒の温度と凝縮器から流出する冷媒の温度の差が小さくなる。その結果、凝縮器に流入する暖房用熱媒の温度が一時的に低下するときに、暖房用熱媒の温度の低下が比較的小さくなる。その分、冷媒の流量の増大後では、増大前よりも、凝縮器から流出する暖房用熱媒の温度が高くなる。
【０００９】
一方、給湯用熱媒は例えば水道から供給される冷たい水なので、凝縮器に流入する給湯用熱媒の温度は比較的低温であり、凝縮器から流出する冷媒の温度よりも低温になっている。そのため、凝縮器に流入する給湯用熱媒は、冷媒への放熱による一時的な温度低下を生じることがなく、常に高温の冷媒との熱交換によって温度上昇する。温度が高くなった給湯用熱媒が凝縮器から流出する。
【００１０】
冷媒の流量の増大前と増大後を比較すると、上述したように、暖房用熱媒の場合と異なり、給湯用熱媒は凝縮器において一時的に温度が低下することはないから、凝縮器から流出する冷媒の温度が高くなっても、凝縮器から流出する給湯用熱媒の温度は、ほぼ変化しない。
【００１１】
以上より、上記の給湯暖房システムによれば、給湯加熱運転と暖房加熱運転が同時に実行され、かつ、補助加熱運転が実行されている場合に、制御装置が、ヒートポンプを循環する冷媒の流量を増大させる増大処理を実行することによって、上述したメカニズムにより、給湯用熱媒の温度を低下させることなく、暖房用熱媒の温度を高めることができる。これによって、補助加熱運転が実行されることを抑制して、エネルギー効率を高めることができる。
【００１２】
上記の給湯暖房システムにおいて、前記増大処理が実行された後に、前記給湯加熱運転と前記暖房加熱運転が同時に実行され、かつ、前記補助加熱運転が実行されていない場合に、前記制御装置が、前記ヒートポンプを循環する冷媒の流量を減少させる減少処理を実行してもよい。
【００１３】
増大処理を実行した場合のヒートポンプの動作は、必ずしもヒートポンプの最適な動作とは言えないので、補助加熱運転を実行するおそれがなければ、ヒートポンプを通常の動作に復帰させることが好ましい。上記の構成によれば、補助加熱運転が実行されていない場合に、減少処理を実行することによって、ヒートポンプを通常の動作に復帰させることができる。
【００１４】
本明細書に開示する給湯暖房システムは、冷媒を加圧する圧縮機と、冷媒と給湯用熱媒の間で熱交換させるとともに、冷媒と暖房用熱媒の間で熱交換させることで、冷媒を凝縮させる凝縮器と、冷媒を減圧する減圧機構と、冷媒と自然環境の間で熱交換させることで、冷媒を蒸発させる蒸発器を備えるヒートポンプと、前記ヒートポンプによって加熱された暖房用熱媒の温度を検出する温度検出手段と、暖房用熱媒を燃料の燃焼によって加熱する補助熱源機と、給湯用熱媒を利用して給湯する給湯装置と、暖房用熱媒を利用して暖房する暖房装置と、前記ヒートポンプの動作を制御する制御装置を備えている。この給湯暖房システムでは、前記ヒートポンプによって給湯用熱媒を加熱する給湯加熱運転と、前記ヒートポンプによって暖房用熱媒を加熱する暖房加熱運転と、前記補助熱源機によって暖房用熱媒を加熱する補助加熱運転を実行可能である。また、前記給湯加熱運転と前記暖房加熱運転が同時に実行され、かつ、前記補助加熱運転が実行されていない状態で、前記温度検出手段によって検出される暖房用熱媒の温度が所定の第１基準温度以下である場合に、前記制御装置が、前記ヒートポンプを循環する冷媒の流量を増大させる増大処理を実行する。
【００１５】
この構成によれば、補助加熱運転が実行されていない場合に、上述したメカニズムと同様のメカニズムにより、給湯用熱媒の温度を低下させることなく、暖房用熱媒の温度を高めることができる。これによって、補助加熱運転が実行されることを抑制して、エネルギー効率を高めることができる。
【００１６】
上記の給湯暖房システムにおいて、前記給湯加熱運転と前記暖房加熱運転が同時に実行され、かつ、前記補助加熱運転が実行されていない状態で、前記温度検出手段によって検出される暖房用熱媒の温度が所定の第１基準時間にわたって前記所定の第１基準温度以下である場合に、前記制御装置が、前記増大処理を実行してもよい。
【００１７】
この構成によれば、暖房用熱媒の温度が所定の第１基準温度以下であるか否かを制御装置が判断する際に所定の第１基準時間の猶予がある。暖房用熱媒の温度が突発的に変化したとしても、猶予期間（第１基準時間）内での温度変化であれば、増大処理が実行されない。そのため、暖房用熱媒の温度が突発的に変化したとしても、それによって冷媒の流量が増大することがなく、冷媒の流量を適切に管理することができる。これによって、暖房用熱媒の温度を適切に管理することができる。
【００１８】
また、上記の給湯暖房システムにおいて、前記増大処理が実行された後に、前記給湯加熱運転と前記暖房加熱運転が同時に実行され、かつ、前記補助加熱運転が実行されていない状態で、前記温度検出手段によって検出される暖房用熱媒の温度が所定の第２基準温度以上である場合に、前記制御装置が、前記ヒートポンプを循環する冷媒の流量を減少させる減少処理を実行してもよい。
【００１９】
この構成によれば、増大処理が実行された後に、制御装置がヒートポンプを循環する冷媒の流量を減少させる減少処理を実行することによって、ヒートポンプを通常の動作に復帰させることができる。
【００２０】
また、上記の給湯暖房システムにおいて、前記増大処理が実行された後に、前記給湯加熱運転と前記暖房加熱運転が同時に実行され、かつ、前記補助加熱運転が実行されていない状態で、前記温度検出手段によって検出される暖房用熱媒の温度が所定の第２基準時間にわたって前記所定の第２基準温度以上である場合に、前記制御装置が前記減少処理を実行してもよい。
【００２１】
この構成によれば、暖房用熱媒の温度が所定の第２基準温度以上であるか否かを制御装置が判断する際に所定の第２基準時間の猶予がある。暖房用熱媒の温度が突発的に変化したとしても、猶予期間（第２基準時間）内での温度変化であれば、減少処理が実行されない。そのため、暖房用熱媒の温度が突発的に変化したとしても、それによって冷媒の流量が減少することがなく、冷媒の流量を適切に管理することができる。これによって、暖房用熱媒の温度を適切に管理することができる。
【図面の簡単な説明】
【００２２】
【図１】実施例に係る給湯暖房システム２の構成を模式的に示す図である。
【図２】実施例に係る暖房用バーナ８２の点火／消火処理を説明するフローチャートである。
【図３】実施例に係るサーミスタ８９によって検出される暖房用水の温度を説明する図である。
【図４】実施例に係るヒートポンプ５０における冷媒流量の第１増減処理を説明するフローチャートである。
【図５】実施例に係るヒートポンプ５０における冷媒流量の第２増減処理を説明するフローチャートである。
【図６】実施例に係るヒートポンプ５０における冷媒のモリエル線図である（冷媒の流量の増大前の図である。）。
【図７】実施例に係るヒートポンプ５０における冷媒のモリエル線図である（冷媒の流量の増大後の図である。）。
【発明を実施するための形態】
【００２３】
以下、実施例に係る給湯暖房システム２について説明する。図１に示すように、本実施例に係る給湯暖房システム２は、タンクユニット４（給湯装置の一例）と、ヒートポンプユニット６と、熱源機ユニット８と、制御装置１００を備えている。
【００２４】
ヒートポンプユニット６は、ヒートポンプ５０と、給湯用水循環ポンプ２２を備えている。ヒートポンプ５０は、冷媒（例えばＲ４１０ＡといったＨＦＣ冷媒や、Ｒ７４４といったＣＯ２冷媒）を循環させるための冷媒循環路５２と、空気熱交換器５４（蒸発器の一例）と、ファン５６と、圧縮機６２と、三流体熱交換器５８（凝縮器の一例）と、膨張弁６０（減圧機構の一例）と、冷媒バイパス路６４と、開閉弁６６を備えている。
【００２５】
空気熱交換器５４は、ファン５６によって送風された外気（自然環境の一例）と冷媒循環路５２内の冷媒との間で熱交換させる。後で説明するように、空気熱交換器５４には、膨張弁６０を通過後の低圧低温の液体状態にある冷媒が供給される。空気熱交換器５４は、冷媒と外気とを熱交換させることによって、冷媒を加熱する。冷媒は、加熱されることにより気化し、比較的高温で低圧の気体状態となる。
【００２６】
圧縮機６２には、空気熱交換器５４を通過後の冷媒が供給される。即ち、圧縮機６２には、比較的高温で低圧の気体状態の冷媒が供給される。圧縮機６２によって冷媒が圧縮されることにより、冷媒は高温高圧の気体状態となる。圧縮機６２は、圧縮後の高温高圧の気体状態の冷媒を、三流体熱交換器５８に送り出す。
【００２７】
三流体熱交換器５８の冷媒循環路５２には、圧縮機６２から送り出された高温高圧の気体状態の冷媒が供給される。三流体熱交換器５８は、冷媒循環路５２内の冷媒と、後述のタンク水循環路２０内の水（以下では給湯用水ともいう）との間で熱交換を行うことができる。さらに、三流体熱交換器５８は、冷媒循環路５２内の冷媒と、後述の第２暖房加熱路８８内の水（以下では暖房用水ともいう）との間で熱交換を行うことができる。冷媒は、三流体熱交換器５８での熱交換の結果、熱を奪われて凝縮する。これにより、冷媒は、比較的低温で高圧の液体状態となる。
【００２８】
膨張弁６０には、三流体熱交換器５８を通過後の比較的低温で高圧の液体状態の冷媒が供給される。冷媒は、膨張弁６０を通過することによって減圧され、低温低圧の液体状態となる。膨張弁６０を通過した冷媒は、上記の通り、空気熱交換器５４に送られる。
【００２９】
冷媒バイパス路６４は、一端が膨張弁６０の上流側に接続され、他端が膨張弁６０の下流側に接続されている。冷媒バイパス路６４内には、開閉弁６６が備えられている。
【００３０】
ヒートポンプ５０において、開閉弁６６を閉じた状態で、圧縮機６２を作動させると、冷媒循環路５２内の冷媒は、空気熱交換器５４、圧縮機６２、三流体熱交換器５８、膨張弁６０の順に循環する。この場合、三流体熱交換器５８において、タンク水循環路２０内の給湯用水、および／または、第２暖房加熱路８８内の暖房用水が加熱される。
【００３１】
三流体熱交換器５８は、冷媒の入口５２１と、冷媒の出口５２２と、給湯用水の入口２０１と、給湯用水の出口２０２と、暖房用水の入口８８１と、暖房用水の出口８８２を備えている。三流体熱交換器５８には冷媒の入口５２１から気体状態の冷媒が流入し、冷媒の出口５２２から液体状態の冷媒が流出する。また、三流体熱交換器５８には給湯用水の入口２０１から給湯用水が流入し、給湯用水の出口２０２から給湯用水が流出する。また、三流体熱交換器５８には暖房用水の入口８８１から暖房用水が流入し、暖房用水の出口８８２から暖房用水が流出する。三流体熱交換器５８の冷媒の入口５２１側は、給湯用水の出口２０２側と暖房用水の出口８８２側に対応している。また、三流体熱交換器５８の冷媒の出口５２２側は、給湯用水の入口２０１側と暖房用水の入口８８１側に対応している。すなわち、三流体熱交換器５８において、冷媒と給湯用水は互いに対向流として流れるとともに、冷媒と暖房用水は互いに対向流として流れる。
【００３２】
タンクユニット４は、タンク１０を備えている。タンク１０は、ヒートポンプ５０によって加熱された給湯用水を貯える。本実施例の給湯用水は、水道水である。タンク１０は、密閉型であり、断熱材によって外側が覆われている。タンク１０内には満水まで給湯用水が貯留される。タンク１０には、サーミスタ１２、１４、１６、１８がタンク１０の高さ方向に略均等間隔で取り付けられている。各サーミスタ１２、１４、１６、１８は、その取付位置の給湯用水の温度を測定する。各サーミスタ１２、１４、１６、１８の検出温度から、タンク１０の蓄熱状態を特定することができる。
【００３３】
タンク水循環路２０は、上流端がタンク１０の下部に接続されており、ヒートポンプユニット６の三流体熱交換器５８を通過して、下流端がタンク１０の上部に接続されている。タンク水循環路２０には、ヒートポンプユニット６の給湯用水循環ポンプ２２が介装されている。ヒートポンプユニット６において、ヒートポンプ５０を作動させて、給湯用水循環ポンプ２２を駆動すると、タンク１０の下部の給湯用水が三流体熱交換器５８に送られて加熱され、加熱された給湯用水がタンク１０の上部に戻される。タンク１０の内部には、低温の給湯用水の層の上に高温の給湯用水の層が積み重なった温度成層が形成される。タンク水循環路２０の三流体熱交換器５８よりも下流側には、サーミスタ２１が取り付けられている。サーミスタ２１は、ヒートポンプ５０からタンク１０へ送られる給湯用水の温度を検出する。
【００３４】
水道水導入路２４は、上流端が給湯暖房システム２の外部の水道水供給源３２に接続されている。水道水導入路２４の下流側は、第１導入路２４ａと第２導入路２４ｂに分岐している。第１導入路２４ａの下流端は、タンク１０の下部に接続されている。第２導入路２４ｂの下流端は、第１給湯路３６の途中に接続されている。第１導入路２４ａには、逆止弁２６が介装されている。第２導入路２４ｂには、逆止弁２８が介装されている。
【００３５】
第１給湯路３６は、上流端がタンク１０の上部に接続されている。上述したように、第１給湯路３６の途中には、水道水導入路２４の第２導入路２４ｂが接続されている。第１給湯路３６と第２導入路２４ｂの接続部には、混合弁３０が介装されている。混合弁３０は、タンク１０の上部から第１給湯路３６へ流入する高温の給湯用水の流量と、第２導入路２４ｂから第１給湯路３６へ流入する低温の水道水の流量の割合を調整する。第２導入路２４ｂとの接続部より下流側の第１給湯路３６は、熱源機ユニット８の給湯加熱路３７を通過して、第２給湯路３９へ接続している。第１給湯路３６と第２給湯路３９の間は、熱源機バイパス路３３によって接続されている。熱源機バイパス路３３にはバイパス弁３４が介装されている。第２給湯路３９の下流端は給湯栓３８に接続されている。
【００３６】
熱源機ユニット８は、シスターン７０と、暖房用バーナ８２（補助熱源機の一例）と、給湯用バーナ８１を備えている。シスターン７０は、上部が開放されている容器であり、内部に暖房用水を貯留している。本実施例の暖房用水は例えば不凍液である。シスターン７０には、暖房往路７２の上流端が接続されている。暖房往路７２には、暖房用水循環ポンプ７４が介装されている。暖房用水循環ポンプ７４を駆動すると、シスターン７０内の暖房用水が暖房往路７２に流れ込む。
【００３７】
暖房往路７２の下流端は、第１暖房加熱路７３と、低温暖房循環路７５に分岐している。低温暖房循環路７５には、低温暖房機７８が取り付けられる。本実施例の低温暖房機７８は、例えば床暖房機である。低温暖房機７８は、供給される暖房用水の熱を利用して暖房する。第１暖房加熱路７３には、暖房用バーナ８２が介装されている。暖房用バーナ８２は、第１暖房加熱路７３内の暖房用水を加熱する。第１暖房加熱路７３の下流端は、高温暖房循環路７７と追い焚き循環路７９に分岐している。高温暖房循環路７７には、高温暖房機７６（暖房装置の一例）が取り付けられる。本実施例の高温暖房機７６は、例えば浴室暖房乾燥機である。高温暖房機７６は、供給される暖房用水の熱を利用して暖房する。低温暖房循環路７５と高温暖房循環路７７は、それぞれの下流端で合流して、第１暖房復路８４の上流端へ接続している。
【００３８】
第１暖房復路８４の下流端は、タンクユニット４において、第２暖房加熱路８８とＨＰバイパス路９４に分岐している。第１暖房復路８４の下流端には、暖房用水調整弁９０が設けられている。暖房用水調整弁９０は、その開度を変化させることによって、第１暖房復路８４から第２暖房加熱路８８へ流れる暖房用水の流量と、第１暖房復路８４からＨＰバイパス路９４へ流れる暖房用水の流量の割合を変化させることができる。本実施例の暖房用水調整弁９０には、例えば三方弁が用いられる。第２暖房加熱路８８は、ヒートポンプユニット６の三流体熱交換器５８を通過して、第２暖房復路９６の上流端へ接続している。第２暖房加熱路８８の三流体熱交換器５８よりも下流側には、サーミスタ８９（温度検出手段の一例）が取り付けられている。サーミスタ８９は、三流体熱交換器５８を通過した暖房用水の温度を検出する。ＨＰバイパス路９４は、ヒートポンプユニット６の三流体熱交換器５８を通過することなく、第２暖房復路９６の上流端へ接続している。第２暖房復路９６は、下流端が熱源機ユニット８のシスターン７０に接続している。
【００３９】
追い焚き循環路７９には、追い焚き熱動弁８３と、追い焚き熱交換器９７が介装されている。追い焚き熱動弁８３は、追い焚き循環路７９を開閉する。追い焚き熱交換器９７では、追い焚き循環路７９を流れる暖房用水と、浴槽水循環路９１を流れる浴槽水の間で熱交換が行われる。追い焚き循環路７９の下流端は、第２暖房復路９６に接続している。
【００４０】
浴槽水循環路９１の上流端は、浴槽９８の底部に接続している。浴槽水循環路９１の下流端は、浴槽９８の側部に接続している。浴槽水循環路９１には、浴槽水循環ポンプ９９が介装されている。浴槽水循環ポンプ９９が駆動すると、浴槽９８の底部から吸い出された浴槽水が、追い焚き熱交換器９７を通過して、浴槽９８の側部へ戻される。
【００４１】
給湯加熱路３７には、給湯用バーナ８１が介装されている。給湯加熱路３７の給湯用バーナ８１よりも下流側から、浴槽注湯路４０が分岐している。浴槽注湯路４０には、浴槽注湯路４０を開閉する注湯電磁弁４２が介装されている。浴槽注湯路４０の下流端は、浴槽水循環ポンプ９９に接続している。
【００４２】
制御装置１００は、タンクユニット４、ヒートポンプユニット６、熱源機ユニット８の各構成要素の動作を制御する。
【００４３】
（給湯暖房システムの動作）
次いで、本実施例の給湯暖房システム２の動作について説明する。以下では、給湯暖房システム２が実施する、給湯加熱運転、給湯運転および暖房加熱運転について順に説明する。
【００４４】
（給湯加熱運転）
給湯加熱運転では、タンク１０内の給湯用水をヒートポンプ５０で加熱し、高温となった給湯用水をタンク１０に戻す。給湯加熱運転を実行する際には、制御装置１００は圧縮機６２およびファン５６を駆動してヒートポンプ５０を作動させるとともに、給湯用水循環ポンプ２２を駆動する。この際、ヒートポンプ５０では、開閉弁６６を閉じた状態で圧縮機６２を駆動する。
【００４５】
圧縮機６２の駆動により、冷媒循環路５２内の冷媒は、空気熱交換器５４、圧縮機６２、三流体熱交換器５８、膨張弁６０の順に循環する。この場合、三流体熱交換器５８を通過する冷媒循環路５２内の冷媒は、高温高圧の気体状態である。また、給湯用水循環ポンプ２２の駆動により、タンク水循環路２０内をタンク１０内の給湯用水が循環する。即ち、タンク１０の下部に存在する給湯用水がタンク水循環路２０内に導入され、導入された給湯用水が三流体熱交換器５８を通過する際に、冷媒循環路５２内の冷媒の熱によって加熱され、加熱された給湯用水がタンク１０の上部に戻される。この際、サーミスタ２１で検出される給湯用水の温度が、沸上げ設定温度となるように、ヒートポンプ５０の動作が制御される。これにより、タンク１０に高温の給湯用水が貯められる。タンク１０の内部が高温の給湯用水で満たされた満蓄状態となると、給湯加熱運転を終了する。
【００４６】
（給湯運転）
給湯運転は、タンク１０内の給湯用水を給湯栓３８に供給する運転である。給湯運転は、上記の給湯加熱運転と並行して行うこともできる。給湯栓３８が開かれると、水道水供給源３２からの水圧によって、水道水導入路２４（第１導入路２４ａ）からタンク１０の下部に水道水が流入する。同時に、タンク１０上部の給湯用水が、第１給湯路３６を介して給湯栓３８に供給される。
【００４７】
制御装置１００は、タンク１０から第１給湯路３６に供給される給湯用水の温度が、給湯設定温度より高い場合には、混合弁３０を駆動して第２導入路２４ｂから第１給湯路３６に水道水を導入する。従って、タンク１０から供給された給湯用水と第２導入路２４ｂから供給された水道水とが、第１給湯路３６内で混合される。制御装置１００は、給湯栓３８に供給される給湯用水の温度が、給湯設定温度と一致するように、混合弁３０の開度を調整する。一方、制御装置１００は、タンク１０から第１給湯路３６に供給される給湯用水の温度が、給湯設定温度より低い場合には、給湯用バーナ８１によって給湯加熱路３７を通過する給湯用水を加熱する。制御装置１００は、給湯栓３８に供給される給湯用水の温度が、給湯設定温度と一致するように、給湯用バーナ８１の出力を制御する。
【００４８】
（暖房加熱運転）
暖房加熱運転は、ヒートポンプ５０によって暖房用水を加熱し、高温となった暖房用水を用いて低温暖房機７８や高温暖房機７６によって暖房する運転である。利用者によって暖房加熱運転の実行が指示されると、制御装置１００は、暖房用水調整弁９０の開度を低温暖房機７８や高温暖房機７６の負荷に応じて調整し、暖房用水循環ポンプ７４を回転させる。さらに、制御装置１００は、開閉弁６６を閉じた状態で圧縮機６２およびファン５６を駆動する。これによって、三流体熱交換器５８で加熱された暖房用水が、シスターン７０を経て、低温暖房機７８や高温暖房機７６に供給される。さらに、制御装置１００は、必要に応じて暖房用バーナ８２を作動する。これにより、高温暖房機７６には、暖房用バーナ８２での加熱によってさらに高温となった暖房用水が供給される。暖房運転においては、低温暖房機７８に供給される暖房用水の温度が低温暖房設定温度となるように、また高温暖房機７６に供給される暖房用水の温度が高温暖房設定温度となるように、暖房用水調整弁９０の開度や、ヒートポンプ５０の動作や、暖房用バーナ８２の出力が調整される。
【００４９】
（給湯加熱運転と暖房加熱運転の同時実行）
給湯暖房システム２において、給湯加熱運転と暖房加熱運転が同時に実行されると、ヒートポンプ５０の三流体熱交換器５８では、給湯用水の加熱と暖房用水の加熱が同時に行われる。
【００５０】
給湯暖房システム２では、給湯加熱運転と暖房加熱運転が同時に実行される場合に、制御装置１００が、暖房用バーナ８２の点火／消火処理を行う。また、制御装置１００が、ヒートポンプ５０における冷媒流量の増減処理を行う。これらの処理について以下に説明する。
【００５１】
（暖房用バーナ８２の点火／消火処理）
暖房用バーナ８２の点火／消火処理について説明する。図２に示すように、この処理のステップＳ１０１では、制御装置１００が、サーミスタ８９によって検出される暖房用水の温度を監視し、検出される暖房用水の温度が所定の点火基準温度（図３参照）以下であるか否かを判断する。ステップＳ１０１における点火基準温度は例えば３６℃である。暖房用水の温度が点火基準温度（３６℃）以下である場合は、ステップＳ１０１で制御装置１００がＹＥＳと判断してステップＳ１０２に進む。一方、暖房用水の温度が点火基準温度（３６℃）以下でない場合は、制御装置１００がＮＯと判断して温度の監視を続ける。
【００５２】
続いてステップＳ１０２では、制御装置１００が、第１暖房加熱路７３に介装されている暖房用バーナ８２を点火させる。暖房用バーナ８２が点火すると、第１暖房加熱路７３内の暖房用水が補助加熱されて暖房用水の温度が上昇する。
【００５３】
図３に示すように、サーミスタ８９によって検出される暖房用水の温度は、暖房用水の加熱状況によって変化する。暖房用水が加熱されると温度が上昇し、暖房用水が加熱されなくなると温度が低下する。
【００５４】
図２に示すように、続いてステップＳ１０３では、制御装置１００が、サーミスタ８９によって検出される暖房用水の温度を再び監視し、検出される暖房用水の温度が所定の消火基準温度（図３参照）以上であるか否かを判断する。ステップＳ１０３における消火基準温度は例えば４５℃である。暖房用水の温度が消火基準温度（４５℃）以上である場合は、ステップＳ１０３で制御装置１００がＹＥＳと判断してステップＳ１０４に進む。一方、暖房用水の温度が消火基準温度（４５℃）以上でない場合は、制御装置１００がＮＯと判断して温度の監視を続ける。
【００５５】
続いてステップＳ１０４では、制御装置１００が、第１暖房加熱路７３に介装されている暖房用バーナ８２を消火させる。暖房用バーナ８２が消火すると、第１暖房加熱路７３内の暖房用水が補助加熱されなくなる。ステップＳ１０４の処理が終了すると、再びステップＳ１０１の処理に戻る。
【００５６】
（冷媒流量の第１増減処理）
ヒートポンプ５０における冷媒流量の第１増減処理について説明する。図４に示すように、この処理のステップＳ１１１では、制御装置１００が、第１暖房加熱路７３に介装されている暖房用バーナ８２が点火したか否かを判断する。上述したように、サーミスタ８９によって検出される暖房用水の温度が所定の点火基準温度以下になると暖房用バーナ８２が点火する（図２のステップＳ１０１、Ｓ１０２参照）。暖房用バーナ８２が点火した場合は、ステップＳ１１１で制御装置１００がＹＥＳと判断してステップＳ１１２に進む。一方、暖房用バーナ８２が点火していない場合は、制御装置１００がＮＯと判断して待機する。
【００５７】
続いてステップＳ１１２では、制御装置１００が、冷媒循環路５２を流れる冷媒の流量を増大させる。すなわち、制御装置１００が、ヒートポンプ５０を循環する冷媒の流量を増大させる増大処理を実行する。具体的には、制御装置１００が、ヒートポンプ５０における膨張弁６０の開度を増大させる、および／または、圧縮機６２の回転数を増大させる。これによって、ヒートポンプ５０における冷媒の流量が増大する。
【００５８】
続いてステップＳ１１３では、制御装置１００が、第１暖房加熱路７３に介装されている暖房用バーナ８２が消火したか否かを判断する。上述したように、サーミスタ８９によって検出される暖房用水の温度が所定の消火基準温度以上になると暖房用バーナ８２が消火する（図２のステップＳ１０３、Ｓ１０４参照）。暖房用バーナ８２が消火した場合は、ステップＳ１１３で制御装置１００がＹＥＳと判断してステップＳ１１４に進む。一方、暖房用バーナ８２が消火していない場合は、制御装置１００がＮＯと判断して待機する。この場合は、制御装置１００が、冷媒循環路５２を流れる冷媒の流量を増大させたまま、維持する。
【００５９】
続いてステップＳ１１４では、制御装置１００が、冷媒循環路５２を流れる冷媒の流量を減少させて増大前の通常の流量に戻す。すなわち、制御装置１００が、ヒートポンプ５０を循環する冷媒の流量を減少させる減少処理を実行する。具体的には、制御装置１００が、ヒートポンプ５０における膨張弁６０の開度を減少させる、および／または、圧縮機６２の回転数を減少させる。これによって、ヒートポンプ５０における冷媒の流量が減少して増大前の通常の流量に戻る。ステップＳ１１４の処理が終了すると、再びステップＳ１１１の処理に戻る。
【００６０】
上記の第１増減処理では、サーミスタ８９によって検出される暖房用水の温度が点火基準温度（３６℃）と消火基準温度（４５℃）の間になるべく維持されるように、制御装置１００がヒートポンプ５０における冷媒の流量を増減させる。
【００６１】
（冷媒流量の第２増減処理）
次に、ヒートポンプ５０における冷媒流量の第２増減処理について説明する。この処理では、暖房用バーナ８２が常に消火している（点火していない）。図５に示すように、この処理のステップＳ１２１では、制御装置１００が、サーミスタ８９によって検出される暖房用水の温度を監視し、検出される暖房用水の温度が所定の第１基準温度（図３参照）以下であるか否かを判断する。ステップＳ１２１における第１基準温度は例えば３７℃である。暖房用水の温度が第１基準温度（３７℃）以下である場合は、ステップＳ１２１で制御装置１００がＹＥＳと判断してステップＳ１２２に進む。一方、暖房用水の温度が第１基準温度（３７℃）以下でない場合は、制御装置１００がＮＯと判断して温度の監視を続ける。
【００６２】
ステップＳ１２１では、制御装置１００が、暖房用水の温度が所定の第１基準時間にわたって所定の第１基準温度以下であるか否かを判断してもよい。ステップＳ１２１における第１基準時間は例えば１分である。暖房用水の温度が第１基準時間（１分）にわたって第１基準温度（３７℃）以下である場合は、ステップＳ１２１で制御装置１００がＹＥＳと判断してステップＳ１２２に進む。そうでない場合は、制御装置１００がＮＯと判断して温度の監視を続ける。
【００６３】
続いてステップＳ１２２では、制御装置１００が、冷媒循環路５２を流れる冷媒の流量を増大させる。すなわち、制御装置１００が、ヒートポンプ５０を循環する冷媒の流量を増大させる増大処理を実行する。具体的には、制御装置１００が、ヒートポンプ５０における膨張弁６０の開度を増大させる、および／または、圧縮機６２の回転数を増大させる。これによって、ヒートポンプ５０における冷媒の流量が増大する。
【００６４】
続いてステップＳ１２３では、制御装置１００が、サーミスタ８９によって検出される暖房用水の温度を監視し、検出される暖房用水の温度が所定の第２基準温度（図３参照）以上であるか否かを判断する。ステップＳ１２３における第２基準温度は例えば４１℃である。暖房用水の温度が第２基準温度（４１℃）以上である場合は、ステップＳ１２３で制御装置１００がＹＥＳと判断してステップＳ１２４に進む。一方、暖房用水の温度が第２基準温度（４１℃）以上でない場合は、制御装置１００がＮＯと判断して待機する。この場合は、制御装置１００が、冷媒循環路５２を流れる冷媒の流量を増大させたまま、維持する。
【００６５】
ステップＳ１２３では、制御装置１００が、暖房用水の温度が所定の第２基準時間にわたって所定の第２基準温度以上であるか否かを判断してもよい。ステップＳ１２３における第２基準時間は例えば１分である。暖房用水の温度が第２基準時間（１分）にわたって第２基準温度（４１℃）以上である場合は、ステップＳ１２３で制御装置１００がＹＥＳと判断してステップＳ１２４に進む。そうでない場合は、制御装置１００がＮＯと判断してステップＳ１２２に戻る。
【００６６】
続いてステップＳ１２４では、制御装置１００が、冷媒循環路５２を流れる冷媒の流量を減少させて増大前の通常の流量に戻す。すなわち、制御装置１００が、ヒートポンプ５０を循環する冷媒の流量を減少させる減少処理を実行する。具体的には、制御装置１００が、ヒートポンプ５０における膨張弁６０の開度を減少させる、および／または、圧縮機６２の回転数を減少させる。これによって、ヒートポンプ５０における冷媒の流量が減少して増大前の通常の流量に戻る。ステップＳ１２４の処理が終了すると、再びステップＳ１２１の処理に戻る。
【００６７】
上記の第２増減処理では、サーミスタ８９によって検出される暖房用水の温度が第１基準温度（３７℃）と第２基準温度（４１℃）の間になるべく維持されるように、制御装置１００がヒートポンプ５０における冷媒の流量を増減させる。
【００６８】
以上、実施例に係る給湯暖房システム２について説明した。上記の説明から明らかなように、給湯暖房システム２は、ヒートポンプ５０と、暖房用バーナ８２を備えている。ヒートポンプ５０は、冷媒を加圧する圧縮機６２と、冷媒と給湯用水の間で熱交換させるとともに、冷媒と暖房用水の間で熱交換させることで、冷媒を凝縮させる三流体熱交換器５８と、冷媒を減圧する膨張弁６０と、冷媒と自然環境の間で熱交換させることで、冷媒を蒸発させる空気熱交換器５４を備えている。暖房用バーナ８２は、暖房用水を燃料の燃焼によって加熱する。また、給湯暖房システム２は、給湯用水を利用して給湯するタンクユニット４と、暖房用水を利用して暖房する高温暖房機７６と、ヒートポンプ５０の動作を制御する制御装置１００を備えている。この給湯暖房システム２では、ヒートポンプ５０によって給湯用水を加熱する給湯加熱運転と、ヒートポンプ５０によって暖房用水を加熱する暖房加熱運転と、暖房用バーナ８２によって暖房用水を加熱する補助加熱運転を実行可能である。給湯加熱運転と暖房加熱運転が同時に実行され、かつ、補助加熱運転が実行されている場合に、制御装置１００が、ヒートポンプ５０を循環する冷媒の流量を増大させる増大処理を実行する（ステップＳ１１２参照）。
【００６９】
この構成によれば、給湯用水と暖房用水がヒートポンプ５０によって同時に加熱され、暖房用水が暖房用バーナ８２によって加熱される場合に、給湯用水の温度を低下させることなく、暖房用水の温度を高めることができる。このメカニズムについては後述する。
【００７０】
また、増大処理が実行された場合のヒートポンプ５０の動作は、必ずしもヒートポンプ５０の最適な動作とは言えないので、補助加熱運転が実行されるおそれがなければ、ヒートポンプ５０を通常の動作に復帰させることが好ましい。そこで、上記の給湯暖房システム２では、増大処理（ステップＳ１１２参照）が実行された後に、給湯加熱運転と暖房加熱運転が同時に実行され、かつ、補助加熱運転が実行されていない場合に、制御装置１００が、ヒートポンプ５０を循環する冷媒の流量を減少させる減少処理を実行する（ステップＳ１１４参照）。これによって、ヒートポンプ５０を通常の動作に復帰させることができる。
【００７１】
上記の給湯暖房システム２において、給湯加熱運転と暖房加熱運転が同時に実行される場合に、制御装置１００がヒートポンプ５０を循環する冷媒の流量を増大させると、三流体熱交換器５８から流出する給湯用水の温度は変化することなく、三流体熱交換器５８から流出する暖房用水の温度が上昇する。このメカニズムについて図面を参照して説明する。
【００７２】
図６と図７は、ヒートポンプ５０における冷媒のモリエル線図である。図６と図７において、縦軸が冷媒の温度（℃）であり、横軸が冷媒の比エンタルピー（ｋＪ／ｋｇ）である。また、図６と図７において、Ａ−Ｂ間は冷媒の加圧過程であり、Ｂ−Ｃ間は冷媒の凝縮過程であり、Ｃ−Ｄ間は冷媒の減圧過程であり、Ｄ−Ａ間は冷媒の蒸発過程である。また、Ｂ−Ｃ間の冷媒の凝縮過程のうち、特にＪ−Ｃ間は冷媒の過冷却領域を示している。図６は、ヒートポンプ５０を循環する冷媒の流量を増大させる前の状態の図である。一方、図７は、ヒートポンプ５０を循環する冷媒の流量を増大させた後の状態の図である。
【００７３】
図６と図７のＣ点は、冷媒の凝縮過程が終了した後の三流体熱交換器５８の冷媒の出口５２２における冷媒の状態を示している。図６と図７のＣ点を比較すると、流量の増大後（図７）の冷媒の温度が、流量の増大前（図６）の冷媒の温度よりも高くなっている。冷媒の流量の増大前では、冷媒の出口５２２における冷媒の温度（Ｃ点）は２０℃である。冷媒の流量の増大後では、冷媒の出口５２２における冷媒の温度（Ｃ点）は３０℃である。このときの冷媒は過冷却液の状態である。図６および図７から明らかなように、冷媒の流量の増大後では、増大前よりも、冷媒の過冷却領域（Ｊ−Ｃ間の領域）が短くなり、三流体熱交換器５８の冷媒の出口５２２における冷媒の温度が高くなる。なお、冷媒の入口５２１における冷媒の温度（Ｂ点）は、冷媒の流量の増大後も、増大前も、８０℃で変化しない。このときの冷媒は過熱蒸気の状態である。また、冷媒の凝縮温度（Ｊ点）は４３℃である。
【００７４】
図６と図７のＥ点は、三流体熱交換器５８の暖房用水の入口８８１における暖房用水の温度を示している。図６および図７では、暖房用水の入口８８１における暖房用水の温度（Ｅ点）は３４℃としている。暖房用水は暖房のために循環している暖かい水なので、暖房用水の入口８８１における暖房用水の温度（Ｅ点）は、給湯用水の入口２０１における給湯用水の温度（Ｇ点）と比較して高温である。図６と図７のＬ１線は、暖房用水が三流体熱交換器５８を通過する過程（すなわち、冷媒の凝縮過程）における暖房用水の温度を示している。図６と図７のＦ点は、三流体熱交換器５８の暖房用水の出口８８２における暖房用水の温度を示している。暖房用水は、三流体熱交換器５８を通過する過程で冷媒との熱交換によって加熱される。その一方で冷媒が凝縮する。
【００７５】
図６と図７に示すように、三流体熱交換器５８の暖房用水の入口８８１における暖房用水の温度（Ｅ点）は、冷媒の出口５２２における冷媒の温度（Ｃ点）よりも高温である。また、図１に示すように、三流体熱交換器５８の暖房用水の入口８８１側は、冷媒の出口５２２側に対応している。そのため、三流体熱交換器５８の暖房用水の入口８８１側（冷媒の出口５２２側）では、高温の暖房用水の熱が低温の冷媒に移動する。その結果、図６と図７のＬ１線のように、暖房用水の温度が一時的に低下する。
【００７６】
図６と図７のＬ１線を比較すると、冷媒の流量の増大後（図７）では、冷媒の流量の増大前（図６）よりも、暖房用水の温度の低下が比較的小さくなっている。上述したように、冷媒の流量の増大後（図７）では、冷媒の流量の増大前（図６）よりも、冷媒の過冷却領域（Ｊ−Ｃ間の領域）が短くなり、三流体熱交換器５８の冷媒の出口５２２における冷媒の温度（Ｃ点）が高くなる。そのため、Ｌ１線で示すように、冷媒の流量の増大後（図７）では、冷媒の流量の増大前（図６）よりも、暖房用水から冷媒への熱移動が小さくなるので、暖房用水の温度低下が比較的小さくなる。
【００７７】
また、暖房用水は、三流体熱交換器５８を通過する過程で冷媒との熱交換によって加熱される。その結果、暖房用水の温度が上昇する。図６と図７のＦ点を比較すると、冷媒の流量の増大後（図７）では、冷媒の流量の増大前（図６）よりも、三流体熱交換器５８の暖房用水の出口８８２における暖房用水の温度が高くなっている。上述したように、冷媒の流量の増大後（図７）では、冷媒の流量の増大前（図６）よりも、三流体熱交換器５８の暖房用水の入口８８１側（冷媒の出口５２２側）での暖房用水の温度の一時的な低下が比較的小さかったので、その分、三流体熱交換器５８の暖房用水の出口８８２における暖房用水の温度が比較的高くなる。冷媒の流量の増大前では、暖房用水の出口８８２における暖房用水の温度（Ｆ点）は４０℃である。冷媒の流量の増大後では、暖房用水の出口８８２における暖房用水の温度（Ｆ点）は４５℃である。
【００７８】
次に、給湯用水について説明する。図６と図７のＧ点は、三流体熱交換器５８の給湯用水の入口２０１における給湯用水の温度を示している。給湯用水はタンク１０の下部から供給される冷たい水なので、給湯用水の入口２０１における給湯用水の温度（Ｇ点）は、暖房用水の入口８８１における暖房用水の温度（Ｅ点）と比較して低温である。図６と図７のＬ２線は、給湯用水が三流体熱交換器５８を通過する過程（すなわち、冷媒の凝縮過程）における給湯用水の温度を示している。図６と図７のＨ点は、三流体熱交換器５８の給湯用水の出口２０２における給湯用水の温度を示している。給湯用水は、三流体熱交換器５８を通過する過程で冷媒との熱交換によって加熱される。給湯用水と暖房用水が三流体熱交換器５８で同時に加熱される。給湯用水の入口２０１における給湯用水の温度（Ｇ点）は９℃である。給湯用水の出口２０２における給湯用水の温度（Ｈ点）は４７℃である。
【００７９】
図６と図７に示すように、三流体熱交換器５８の給湯用水の入口２０１における給湯用水の温度（Ｇ点）は、冷媒の出口５２２における冷媒の温度（Ｃ点）よりも低温である。また、図１に示すように、三流体熱交換器５８の給湯用水の入口２０１側は、冷媒の出口５２２側に対応している。そのため、三流体熱交換器５８の給湯用水の入口２０１側（冷媒の出口５２２側）では、高温の冷媒の熱が低温の給湯用水に移動する。その結果、図６と図７のＬ２線のように、給湯用水の温度は、暖房用水の温度と異なり、一時的に低下しない。
【００８０】
給湯用水は、三流体熱交換器５８を通過する過程で冷媒との熱交換によって加熱される。その結果、給湯用水の温度が上昇する。給湯用水の温度は、図６と図７のＬ２線のように、一時的に低下せずに常に上昇する。三流体熱交換器５８では給湯用水の熱が冷媒に移動することがないので、給湯用水の温度が一時的に低下せずに上昇する。三流体熱交換器５８の給湯用水の出口２０２側（冷媒の入口５２１側）では、給湯用水の温度（Ｈ点）は、暖房用水の温度（Ｆ点）より高くなる。また、給湯用水の温度（Ｈ点）は、冷媒の流量の増大前（図６）と流量の増大後（図７）でほぼ同じ温度になる。三流体熱交換器５８で給湯用水の熱が奪われないので、給湯用水の温度（Ｈ点）は、冷媒の流量の増大前（図６）と流量の増大後（図７）でほぼ同じ温度になる。
【００８１】
以上のようなメカニズムにより、給湯加熱運転と暖房加熱運転が同時に実行される場合に、制御装置１００がヒートポンプ５０を循環する冷媒の流量を増大させると、三流体熱交換器５８から流出する給湯用水の温度が変化することなく、三流体熱交換器５８から流出する暖房用水の温度が上昇する。そのため、ヒートポンプ５０における冷媒の流量の増大後（図７）では、三流体熱交換器５８から流出する給湯用水の温度を低下させることなく、三流体熱交換器５８から流出する暖房用水の温度（Ｆ点）を消火基準温度（４５℃）まで高めることができる。その結果、暖房用バーナ８２を消火することができ、暖房用バーナ８２における燃料の燃焼を抑制してエネルギー効率を高めることができる。
【００８２】
また、上記の給湯暖房システム２では、給湯加熱運転と暖房加熱運転が同時に実行され、かつ、補助加熱運転が実行されていない状態で、サーミスタ８９によって検出される暖房用水の温度が所定の第１基準温度（例えば３７℃）以下である場合に、制御装置１００が、ヒートポンプ５０を循環する冷媒の流量を増大させる増大処理を実行する（ステップＳ１２１、Ｓ１２２参照）。
【００８３】
この構成によれば、上記と同様のメカニズムにより、制御装置１００がヒートポンプ５０を循環する冷媒の流量を増大させると、三流体熱交換器５８から流出する給湯用水の温度を低下させることなく、三流体熱交換器５８から流出する暖房用水の温度を高めることができる。そのため、ヒートポンプ５０における冷媒の流量の増大後（図７）では、暖房用水の温度（Ｆ点）を点火基準温度（３６℃）以上に維持することができ、暖房用バーナ８２が消火している状態を維持することができる。その結果、暖房用バーナ８２における燃料の燃焼を抑制してエネルギー効率を高めることができる。
【００８４】
また、上記の給湯暖房システム２では、給湯加熱運転と暖房加熱運転が同時に実行され、かつ、補助加熱運転が実行されていない状態で、サーミスタ８９によって検出される暖房用水の温度が所定の第１基準時間（例えば１分）にわたって所定の第１基準温度以下である場合に、制御装置１００が、増大処理を実行してもよい（ステップＳ１２１、Ｓ１２２参照）。
【００８５】
この構成によれば、制御装置１００が暖房用水の温度が所定の第１基準温度以下であるか否かを判断する際に第１基準時間の猶予があるので、暖房用水の温度が突発的に変化したとしても猶予期間（第１基準時間）内であれば、冷媒の流量の増大処理が実行されることがない。そのため、突発的な温度変化が生じたとしても暖房用水の温度を適切に管理することができる。
【００８６】
また、上記の給湯暖房システム２では、増大処理（ステップＳ１２２参照）が実行された後に、給湯加熱運転と暖房加熱運転が同時に実行され、かつ、補助加熱運転が実行されていない状態で、サーミスタ８９によって検出される暖房用水の温度が所定の第２基準温度（例えば４１℃）以上である場合に、制御装置１００が、ヒートポンプ５０を循環する冷媒の流量を減少させる減少処理を実行する（ステップＳ１２３、Ｓ１２４参照）。これによって、ヒートポンプ５０を通常の動作に復帰させることができる。
【００８７】
また、上記の給湯暖房システム２では、増大処理（ステップＳ１２２参照）が実行された後に、給湯加熱運転と暖房加熱運転が同時に実行され、かつ、補助加熱運転が実行されていない状態で、サーミスタ８９によって検出される暖房用水の温度が所定の第２基準時間（例えば１分）にわたって所定の第２基準温度以上である場合に、制御装置１００が減少処理を実行する（ステップＳ１２３、Ｓ１２４参照）。
【００８８】
この構成によれば、制御装置１００が暖房用水の温度が所定の第２基準温度以上であるか否かを判断する際に第２基準時間の猶予があるので、暖房用水の温度が突発的に変化したとしても猶予期間（第２基準時間）内であれば、冷媒の流量の減少処理が実行されることがない。そのため、突発的な温度変化が生じたとしても暖房用水の温度を適切に管理することができる。
【００８９】
以上、本明細書に開示の技術の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書又は図面に説明した技術要素は、単独であるいは各種の組合せによって技術的有用性を発揮するものであり、出願時請求項記載の組合せに限定されるものではない。
【符号の説明】
【００９０】
２          ：給湯暖房システム
４          ：タンクユニット
６          ：ヒートポンプユニット
８          ：熱源機ユニット
１０        ：タンク
２０        ：タンク水循環路
２２        ：給湯用水循環ポンプ
２４        ：水道水導入路
２４ａ      ：第１導入路
２４ｂ      ：第２導入路
３０        ：混合弁
３２        ：水道水供給源
３３        ：熱源機バイパス路
３４        ：バイパス弁
３６        ：第１給湯路
３７        ：給湯加熱路
３８        ：給湯栓
３９        ：第２給湯路
５０        ：ヒートポンプ
５２        ：冷媒循環路
５４        ：空気熱交換器
５６        ：ファン
５８        ：三流体熱交換器
６０        ：膨張弁
６２        ：圧縮機
６４        ：冷媒バイパス路
６６        ：開閉弁
７０        ：シスターン
７２        ：暖房往路
７３        ：第１暖房加熱路
７４        ：暖房用水循環ポンプ
７５        ：低温暖房循環路
７６        ：高温暖房機
７７        ：高温暖房循環路
７８        ：低温暖房機
８１        ：給湯用バーナ
８２        ：暖房用バーナ
８４        ：第１暖房復路
８８        ：第２暖房加熱路
８９        ：サーミスタ
９０        ：暖房用水調整弁
９１        ：浴槽水循環路
９４        ：ＨＰバイパス路
９６        ：第２暖房復路
１００      ：制御装置
【図１】
2019027749.tif 000003
【図２】
2019027749.tif 000004
【図３】
2019027749.tif 000005
【図４】
2019027749.tif 000006
【図５】
2019027749.tif 000007
【図６】
2019027749.tif 000008
【図７】
2019027749.tif 000009